(57)【特許請求の範囲】
【請求項１】
給紙台上に積層された用紙の中の最上位の用紙の上面に対し、所定位置に配置された給紙ローラを接触させ、前記給紙ローラの駆動により前記最上位の用紙を給紙方向に送り出す給紙装置において、
前記給紙ローラに関する給紙方向の下流に設けられ、給紙方向に送り出された前記用紙の用紙幅方向の両端部をそれぞれ検知する一対の用紙検知手段と、
用紙幅方向に沿って用紙の両側縁に対向して設けられ、風量と風向の少なくとも一方がそれぞれ独立に制御可能であり、前記一対の用紙検知手段による用紙の検知タイミングに基づき、前記最上位の用紙の両側縁に送風する一対の送風手段を有することを特徴とする給紙装置。
【請求項２】
前記一対の用紙検知手段による用紙の検知タイミングの差に基づき、前記一対の送風手段を風量に差異が生じるように制御し、送り出された用紙の斜行を補正することを特徴とする請求項１に記載の給紙装置。
【請求項３】
前記一対の用紙検知手段による用紙の検知タイミングの差に基づき、前記一対の送風手段を風向に差異が生じるように制御し、送り出された用紙の斜行を補正することを特徴とする請求項１に記載の給紙装置。
【請求項４】
用紙を検知すべきタイミングにおいて前記用紙検知手段が用紙を検知しない場合に、前記一対の送風手段の風量を増大させることにより、用紙の空送を補正するように制御することを特徴とする請求項１に記載の給紙装置。
【発明の詳細な説明】
【技術分野】
【０００１】
本発明は、例えば画像形成装置の給紙機構として設けられ、積層した多数枚の用紙を上から給紙ローラによって順次送り出す給紙装置に係り、特に用紙の種類に関わらず、斜行、空送、重送することなく確実に一枚ずつ送り出すことができる給紙装置に関するものである。
【背景技術】
【０００２】
例えば画像形成装置等に用紙を供給するための給紙装置として、多数枚の用紙を台上に積載し、最も上の用紙を給紙ローラに下方から当接させ、給紙ローラの駆動によって上の用紙から順次送り出していく給紙装置が知られている。このような給紙装置においては、用紙の送り出しに伴って積み重ねた用紙の高さが低くなるに連れ、台を上昇させて最も上の用紙と給紙ローラとの接触を保っている。以下に説明する各特許文献に記載の給紙装置は、このような給紙装置の一例を示すものである。
【０００３】
下記特許文献１には、エアーの圧力損失を抑えて、効率良く記録紙にエアを吹き出すことで、密着した記録紙を簡単に分離する給紙装置の発明が開示されている。この発明では、記録紙Ｐの送り出し方向と直角方向の位置はリタードロール７２と重ならず、且つ、記録紙Ｐの送り出し方向と直角方向から見たときリタードロール７２と重なるようにダクト９０を配置している。これにより、記録紙Ｐの送り出し方向縁部へブロワー９４で発生したエアーが吹き出され、ナジャーロール６８によって給紙トレイ４４から送り出された記録紙Ｐは、リタードロール７２によって分離される。リタードロール７２が邪魔にならず、ダクト９０は圧力損失が小さい形状とすることができる。このため、大容量のブロワー９４やファンを使用しなくても、記録紙Ｐの密着を解くことができるだけのエアーがダクト９０から吹き出されるものとされている。
【０００４】
下記特許文献２には、紙の種類に応じて空気の吹き込み手段による空気流を制御し、確実に１枚づつ給紙することを目的とした給紙装置の発明が開示されている。この給紙装置は、シート２３を堆積させる給紙トレイ１０と、この給紙トレイ１０に堆積されたシート２３を送り出す給紙手段２と、給紙トレイ１０に堆積されたシート２３を給紙手段２により送り出される高さまで押し上げる押上手段と、この押上手段により押上げられたシート２３の側面に対して空気流を吹き付けるために開口された送風口２１と、この送風口２１から連続的な空気流を吹き付ける送風手段２０と、シート２３の種類に応じて空気吹き付け位置を設定する吹き付け位置設定手段とを具備している。
【先行技術文献】
【特許文献】
【０００５】
【特許文献１】特開２００５−３１４０９４号公報
【特許文献２】特開平１１−３４９１６５号公報
【発明の概要】
【発明が解決しようとする課題】
【０００６】
特許文献１及び２に記載された給紙装置は、重ねられた用紙と用紙をエアブローによって分離して送り出す点において共通しているが、用紙の右側、左側等といった場所ごとに与える風量の調整が可能なものではなかった。このため、積載された用紙の状態に応じて、用紙の必要な位置ごとに調整した風量を与えることができず、その結果、斜行・重送・空送といった給紙上の問題点を必ずしも解決することができないという問題があった。
【０００７】
本発明は、以上の課題に鑑みてなされたものであり、用紙の右側、左側等といった場所ごとに与える風量の調整を可能とし、これによって積載された用紙の状態に応じて用紙の必要な位置に適した風量を与えることにより、斜行・重送・空送といった給紙上の問題点を適格に解決することを目的としている。
【課題を解決するための手段】
【０００８】
請求項１に記載された給紙装置は、
給紙台上に積層された用紙の中の最上位の用紙の上面に対し、所定位置に配置された給紙ローラを接触させ、前記給紙ローラの駆動により前記最上位の用紙を給紙方向に送り出す給紙装置において、
前記給紙ローラに関する給紙方向の下流に設けられ、給紙方向に送り出された前記用紙の用紙幅方向の両端部をそれぞれ検知する一対の用紙検知手段と、
用紙幅方向に沿って用紙の両側縁に対向して設けられ、風量と風向の少なくとも一方がそれぞれ独立に制御可能であり、前記一対の用紙検知手段による用紙の検知タイミングに基づき、前記最上位の用紙の両側縁に送風する一対の送風手段を有することを特徴としている。
【０００９】
請求項２に記載された給紙装置は、請求項１に記載の給紙装置において、
前記一対の用紙検知手段による用紙の検知タイミングの差に基づき、前記一対の送風手段を風量に差異が生じるように制御し、送り出された用紙の斜行を補正することを特徴としている。
【００１０】
請求項３に記載された給紙装置は、請求項１に記載の給紙装置において、
前記一対の用紙検知手段による用紙の検知タイミングの差に基づき、前記一対の送風手段を風向に差異が生じるように制御し、送り出された用紙の斜行を補正することを特徴としている。
【００１１】
請求項４に記載された給紙装置は、請求項１に記載の給紙装置において、
用紙を検知すべきタイミングにおいて前記用紙検知手段が用紙を検知しない場合に、前記一対の送風手段の風量を増大させることにより、用紙の空送を補正するように制御することを特徴としている。
【発明の効果】
【００１２】
請求項１に記載された給紙装置によれば、給紙ローラによって用紙を給紙方向に送り出す際に、用紙相互の密着状態その他の原因によって用紙が斜行、空送される場合があるが、そのような用紙の給紙状況に応じた一対の用紙検知手段による用紙の検知タイミングに基づき、用紙幅方向に沿って用紙の両側縁に対向して配置された一対の送風手段の風量と風向の少なくとも一方を、それぞれ独立して制御することにより、前記最上位の用紙の両側縁に送風して給紙状態を改善し正常な給紙を行なうことができる。
【００１３】
請求項２に記載された給紙装置によれば、一対の用紙検知手段による用紙の検出タイミングの差に基づき、一対の送風手段を風量に差異が生じるように制御することにより、送り出された用紙の斜行を程度に応じて最適に補正することができる。
【００１４】
請求項３に記載された給紙装置によれば、一対の用紙検知手段による用紙の検知タイミングの差に基づいて一対の送風手段を風向に差異が生じるように制御し、用紙に回転方向の力を作用させ、送り出された用紙の斜行を程度に応じて最適に補正することができる。
【００１５】
請求項４に記載された給紙装置によれば、透過型用紙検知手段の受光量が全く低減しなければ用紙が送られなかった空送と判断できる。従って、用紙を検知すべきタイミングにおいて前記用紙検知手段が用紙を検知しない場合に、一対の送風手段の風量を増大させれば、用紙の空送を最適に補正することができる。
【図面の簡単な説明】
【００１６】
【図１】本発明の実施形態に係る給紙装置の全体斜視図である。
【図２】本発明の実施形態における用紙検知手段の配設位置を示す図である。
【図３】本発明の実施形態における用紙検知手段の配設位置を示す図である。
【図４】本発明の実施形態における送風手段の風向制御装置を示す斜視図である。
【図５】本発明の実施形態における送風手段の風向制御装置が風向を用紙の後方に向けた状態を示す断面図である。
【図６】本発明の実施形態における送風手段の風向制御装置が風向を真横に向けた状態を示す断面図である。
【図７】本発明の実施形態における送風手段の風向制御装置が風向を用紙の前方に向けた状態を示す断面図である。
【図８】本発明の実施形態における送風手段の制御概念図である。
【図９】本発明の実施形態におけるエラー情報に対応した送風手段の風量乃至風向の設定を示す表図である。
【図１０】本発明の実施形態における送風手段の風量と風向の調整範囲を示す表図である。
【図１１】本発明の実施形態における用紙情報に対応した送風手段の風量の設定を示す表図である。
【図１２】本発明の実施形態における正常時の駆動タイミング図である。
【図１３】本発明の実施形態において斜行検知時に補正しない場合の駆動タイミング図である。
【図１４】本発明の実施形態における斜行補正時の駆動タイミング図である。
【図１５】本発明の実施形態において重送検知時に補正しない場合の駆動タイミング図である。
【図１６】本発明の実施形態における重送補正時の駆動タイミング図である。
【図１７】本発明の実施形態において空送検知時に補正しない場合の駆動タイミング図である。
【図１８】本発明の実施形態における空送補正時の駆動タイミング図である。
【図１９】本発明の実施形態において用紙の斜行を一対の送風手段の風向制御で補正する状況を示す概念図である。
【図２０】本発明の実施形態における制御手順を示す流れ図である。
【発明を実施するための形態】
【００１７】
以下、本発明の実施形態に係る給紙装置について説明する。本実施形態の給紙装置１は、積載された用紙に風向・風量調整自在な送風手段２で風を吹き付けて重送等の給紙不良を改善することを特徴とするものであり、以下、全体の構成、送風手段２の風量・風向の調整乃至設定、作動時のエラー発生と補正手法、全体の制御手順の各項目ごとに説明する。
【００１８】
１．全体の構成（図１〜図８）
本実施形態の給紙装置１は、供給された用紙を所定の目的で処理するための装置、例えば供給された用紙に画像を形成する印刷装置等の画像形成装置に用紙供給手段として備えつけられるものである。
【００１９】
図１〜図２に示すように、給紙装置１は用紙Ｐを積載するための給紙台３を備えている。この給紙台３は、用紙Ｐの補充位置である下限位置と、画像形成装置に対する給紙位置である上限位置との間で、本体側に設けられた図示しない公知の昇降機構と昇降モータとによって、自在に昇降することができる。
【００２０】
図１〜図３に示すように、この給紙台３の上限位置よりも上方の所定位置には、第１及び第２給紙ローラ４、５からなる給紙ユニット６が本体側に取り付けられており、これらの給紙ローラ４、５は図示しない駆動モータで駆動されるようになっている。すなわち、上昇してくる給紙台３上の用紙Ｐを第１給紙ローラ４が本体に向けて送り出し、この用紙Ｐは本体に取り付けられた捌き部材７（図３に示す）と第２給紙ローラ５に捌かれて、本体側の図示しない画像形成部に１枚ずつ送り込まれるようになっている。
【００２１】
図１及び図２に示すように、給紙台３の上面には、給紙台３の上に積載した用紙Ｐの一対の側縁を案内する一対のサイドフェンス８、８が設けられている。一対のサイドフェンス８、８は、用紙Ｐの給紙方向に対して平行となるように給紙台３の上面に配置されている。図示はしないが、ユーザーがサイドフェンス８に対して用紙Ｐの幅方向（水平面内において給紙方向と直交する方向）に力を加えれば、一対のサイドフェンス８、８は連動し、給紙方向に平行な用紙Ｐの中心線を基準として対称な態様で用紙Ｐの幅方向に移動するので、この中心線を基準とした所望の間隔に設定できる。従って、給紙台３の上に載置した用紙Ｐの幅に合わせてサイドフェンス８の間隔を任意に設定することができる。
【００２２】
図１に示すように、各サイドフェンス８の外面側の同じ位置には、給紙台３の上に載置された用紙Ｐのうち、最上位の用紙Ｐとその他の用紙Ｐとを送風によって分離するために、用紙Ｐの側縁に空気を吹き付ける用紙剥離用の送風手段２がそれぞれ設けられている。送風手段２としては、モータ等の駆動手段によってプロペラを回転駆動させて送風するファンでもよいし、その他の原理の送風手段でもよい。
【００２３】
各送風手段２の吹き出し口は、各サイドフェンス８の同位置にそれぞれ形成された孔にダクト９を介して接続連通されている。従って、一対の送風手段２，２は、それぞれサイドフェンス８、８に直交する風向で、サイドフェンス８、８の内方に向けて互いに対向する向きの気流を吹き込めるようになっている。なお、図１には、一対のサイドフェンス８、８に一対の送風手段２，２が設けられた状態を示しているが、図２に示す変形例のように、各サイドフェンス８に２個の送風手段２をそれぞれ取り付け、結局一対のサイドフェンス８に二対の送風手段２を設けるようにしてもよい。
【００２４】
図１には詳細を示していないが、図４に詳細を示すように、送風手段２の吹き出し口に連結されたダクト９の出口と、サイドフェンス８の孔１０との間には、送風手段２の風向（送風手段２からの気流の向き）を調整するための風向制御板１１が回動可能に設けられている。風向制御板１１は、中央部に垂直な軸を有する縦長矩形の板部材であり、その軸の上端は、サイドフェンス８に取り付けられた制御モータ１２の駆動軸に連結されている。この制御モータ１２を駆動することにより、風向制御板１１は回動し、ダクト９の出口からサイドフェンス８の孔１０を経てサイドフェンス８の内方に吹き込む気流の向きを変えることができる。
【００２５】
図５〜図７は、ダクト９及び風向制御板１１が存在する高さの水平面における断面図であり、各図中左右方向が給紙方向であり、用紙Ｐの先端は各図中左側にある。図５に示すように、風向制御板１１のサイドフェンス８側の端縁を給紙方向の後方（用紙Ｐの後端側、図中右方向）に向けると、ダクト９からの空気は風向制御板１１に当ってサイドフェンス８内では給紙方向の後方に向かう気流となる。また、図６に示すように、風向制御板１１をサイドフェンス８に直角に設定すると、ダクト９からの空気は風向制御板１１に平行に進んでそのままサイドフェンス８に直交する向きでサイドフェンス８内に入る。また、図７に示すように、風向制御板１１のサイドフェンス８側の端縁を給紙方向の前方（用紙Ｐの先端側、図中左方向）に向けると、ダクト９からの空気は風向制御板１１に当ってサイドフェンス８内では給紙方向の前方に向かう気流となる。
【００２６】
なお、なお用紙Ｐの搬送方向に平行な中心線、すなわち用紙Ｐの幅方向を２分する縦の中心線に関して言えば、送風手段２は左右一対で設けられているともいえるが、給紙装置１の設置状態から言えば、給紙装置１の前面側（Ｆ側）と後面側（Ｒ側）の一対で設けられているとも言える。これは、給紙装置１を全体として見た場合、通常は給紙台３は装置の本体の一側面に取り付けられており、装置の前面側が前記右側に相当し、装置の後面側が前記左側に相当することを意味する。
【００２７】
一般に給紙装置１では、給紙ユニット６によって用紙Ｐを給紙方向に送り出す際に、用紙Ｐの相互の密着状態、重なった用紙間に発生する摩擦の場所による不均一さ、その他の原因によって用紙Ｐが斜行、重送、空送されるといった給紙上の不具合が発生する可能性がある。本実施形態の給紙装置１では、詳細は後述するが、図８に概念的に示すように、用紙種類検知結果と、上述したような不具合検知の結果とによって、制御手段が前述した一対の送風手段２の風量又は風向を制御することにより、給紙状態を改善して正常な給紙を行なうことができるようになっている。
【００２８】
不具合検知の手段としては、図２及び図３に示すように、給紙ユニット６の下流側において、画像形成装置の本体側に透過型用紙検知手段１３が一対で設けられており、用紙Ｐの幅方向の両端付近をそれぞれ検出できるようになっている。なお用紙Ｐの搬送方向に平行な用紙Ｐの幅方向の中心線に関して言えば、透過型用紙検知手段１３は左右一対で設けられているともいえるが、給紙装置１の設置状態から言えば、給紙装置１の前面側（Ｆ側）と後面側（Ｒ側）の一対で設けられているとも言える。
【００２９】
この一対の透過型用紙検知手段１３が給送された用紙Ｐを同時に検知すれば、用紙Ｐは正常に送られたものと判断できるが、いずれか一方が他方より早く用紙Ｐを検知すれば、用紙Ｐが斜めに送られていることとなり、その検知タイミングの差が存在するが、所定値未満である場合に斜行と判断することができ、さらにその検知タイミングの差が前記所定値より大きい所定値以上である場合には重度の斜行と判断することができる。さらに、用紙Ｐを検知すべきタイミングにおいて透過型用紙検知手段１３が用紙Ｐを検知しない場合には、空送と判断できる。さらに、用紙Ｐを検知すべきタイミングにおいて透過型用紙検知手段１３が用紙Ｐを透過して受け取る光が通常よりも弱い場合には、重送と判断できる。このような不具合が発生した場合に、送風手段２の風量と風向を如何に制御するかは後述する。
【００３０】
用紙種類検知の手段としては、ユーザーが給紙装置１の操作パネル（図示せず）でスイッチ操作によって選択したモード情報や選択用紙情報を用いるものでもよいし、図８中に示したように、給紙に伴う給紙台３の上昇量（エレベータ上昇量）を図示しない位置用紙検知手段により測定したり、又は透過型用紙検知手段１３による光透過量によって、用紙Ｐの厚さデータを計測して用紙種類を検知するものとしてもよい。
【００３１】
２．送風手段２の風量・風向の調整乃至設定可能な範囲について（図９〜図１１）
用紙Ｐの斜行は、給紙方向に平行な用紙Ｐの中心線の右側と左側とにおいて、当該用紙Ｐの下にある他の用紙Ｐとの張り付き状態や、摩擦係数等の抵抗原因が、何らかの理由で異なるために起きると考えられる。その結果、前記中心線に平行な搬送力を受けても用紙Ｐが真っ直ぐに進まず、斜めに移動してしまうものと考えられる。
【００３２】
また、用紙Ｐの重送は、最上位の用紙Ｐと、その下にある他の用紙Ｐとの張り付き状態又は摩擦係数等の抵抗原因が何らかの理由でさらに大きくなり、２枚が一体となって、さらにその下の用紙Ｐから分離されて送り出されるために起きると考えられる。用紙Ｐの空送は、用紙Ｐ間の張り付き状態又は摩擦係数等の抵抗原因が何らかの理由でさらに大きくなり、互いに分離されなくなるために給紙ローラが空回りして搬送に失敗するために起きると考えられる。
【００３３】
そこで、本実施形態の給紙装置１では、一対の送風手段２，２の風量をそれぞれ独立に制御できるようにし、より抵抗の大きい側の送風手段２の風量を大きくして同側での用紙Ｐの分離を促し、用紙Ｐの左右の状態をなるべく均一にして用紙Ｐが給紙方向に平行に進むようにし、用紙Ｐの斜行を軽微なものから重度のものまで補正できるようにしている。
【００３４】
また、本実施形態の給紙装置１では、一対の送風手段２，２の風向を前述したようにそれぞれ独立に変えられるようにしており、各送風手段２の風向を互いに逆向きにすることで用紙Ｐに所望方向の回転力を与え、より抵抗の大きい側の用紙Ｐの分離を一層促し、用紙Ｐの左右の状態をなるべく均一にして用紙Ｐが給紙方向に平行に進むようにし、用紙Ｐの重度の斜行を補正するようにしている。
【００３５】
また、本実施形態の給紙装置１では、一対の送風手段２，２の風量を軽度の斜行の場合よりも増大することにより、重度の斜行と同様、重度のジャムを招来する重送や空送についても対応することができるようになっている。
【００３６】
図９は、送風手段２の風量と風向を調整できる範囲を表形式で示しており、図１０は、送風手段２の風量と風向の調整範囲を示す表図であり、図１１は、用紙情報に対応した送風手段２の風量の設定を示す表図である。図９〜図１１では、送風手段Ｆとは前側（ＦＲＯＮＴ）つまり右側の送風手段２であり、送風手段Ｒとは後側（ＲＥＡＲ）つまり左側の送風手段２である。
【００３７】
図９に示すように、各送風手段２（Ｆ，Ｒ）の風量は、最小の１から最大の５まで５段階に設定できる。また、風向については、前、横、後の３段階に設定できる。なお、各送風手段２（Ｆ，Ｒ）の初期設定は、風量が１、風向が横向きである。
【００３８】
図１０の「重送」、「空送」の欄に示すように、各送風手段２（Ｆ，Ｒ）の風量と風向は、不具合の種類に応じてそれぞれ設定されている。重送及び空送が検知された場合は、各送風手段２（Ｆ，Ｒ）ともに風量を初期設定から＋２とする。
【００３９】
図１０の「斜行（軽微）」の欄に示すように、一対の透過型用紙検知手段１３のうち、Ｆ側が先に用紙Ｐを検知し、Ｆ側とＲ側の透過型用紙検知手段１３の検知タイミングの差が、０より大きく所定値未満である場合（０＜Ｆ−Ｒ＜所定値）、用紙ＰのＦ側が先行する軽微な斜行と判断される。すなわち、透過型用紙検知手段１３（Ｆ，Ｒ）の検出タイミングの差が、所定時間以下である場合（重送でない場合）である。この場合には、送風手段２（Ｆ）の風量を初期設定から−１とし、送風手段２（Ｒ）の風量を初期設定から＋１とする。逆に、一対の透過型用紙検知手段１３のうち、Ｒ側が先に用紙Ｐを検知し、Ｒ側とＦ側の透過型用紙検知手段１３の検知タイミングの差が、０より大きく所定値未満である場合（０＜Ｒ−Ｆ＜所定値）、用紙ＰのＲ側が先行する軽微な斜行と判断され、この場合には、送風手段２（Ｆ）の風量を初期設定から＋１とし、送風手段２（Ｒ）の風量を初期設定から−１とする。
【００４０】
図１０「斜行（重度）」の欄の上段に示すように、一対の透過型用紙検知手段１３のうち、Ｆ側が先に用紙Ｐを検知し、Ｆ側とＲ側の透過型用紙検知手段１３の検知タイミングの差が、所定値を超える場合（Ｆ−Ｒ＞所定値）、用紙ＰのＦ側が先行する重度な斜行と判断される。すなわち、透過型用紙検知手段１３（Ｆ，Ｒ）の検出タイミングの差が、所定時間以上である場合である。この場合には、送風手段２（Ｆ）の風量を初期設定から−２とし、送風手段２（Ｒ）の風量を初期設定から＋２とする。又は、両送風手段２（Ｆ，Ｒ）の風量は初期設定のままとし、図１９に模式的に示すように、送風手段２（Ｆ）の風向を後向きにし、送風手段２（Ｒ）の風向を前向きにし、用紙Ｐと用紙Ｐの間に時計回り方向の気流を生じさせて左に傾いている用紙Ｐを右方向に誘導するように補正する。
【００４１】
図１０「斜行（重度）」の欄の下段に示すように、一対の透過型用紙検知手段１３のうち、Ｒ側が先に用紙Ｐを検知し、Ｒ側とＦ側の透過型用紙検知手段１３の検知タイミングの差が、所定値を超える場合（Ｒ−Ｆ＞所定値）、用紙ＰのＲ側が先行する重度な斜行と判断され、この場合には、送風手段２（Ｆ）の風量を初期設定から＋２とし、送風手段２（Ｒ）の風量を初期設定から−２とする。
【００４２】
又は、両送風手段２（Ｆ，Ｒ）の風量は初期設定のままとし、図１９に模式的に示した例とが左右逆になるが、送風手段２（Ｆ）の風向を前向きにし、送風手段２（Ｒ）の風向を後向きにし、用紙Ｐと用紙Ｐの間に反時計回り方向の気流を生じさせて右に傾いている用紙Ｐを左方向に誘導するように補正する。
【００４３】
図１１に示すように、軽量紙の場合には、各送風手段２（Ｆ，Ｒ）ともに風量を初期設定から＋２とする。重量紙の場合は初期設定からの変更はない。
【００４４】
なお、以上説明した図９〜図１１に示した情報は、本給紙装置１又は本給紙装置１が取り付けられた画像形成装置等の制御手段等（図８に示したエアブロー送風手段制御部を含む）において、予め用意された制御情報としてメモリ等に格納された状態で提供されるものであり、不具合の発生状況を含む制御状況や使用する用紙Ｐの種類の増加に対応して適宜書き換えることもできる。
【００４５】
３．作動時のエラー発生と補正手法について（図１２〜図１９）
図１２は正常時の駆動タイミング図である。軽量紙モードを設定すると、一対の送風手段２（Ｆ，Ｒ）は初期設定の風量１及び風向横向きで送風を始める。印刷動作が始まると、正常に送り出された印刷済みの用紙Ｐは、一対の透過型用紙検知手段１３（Ｆ，Ｒ）に同一タイミングで到達し（各用紙検知手段ＯＮ、受光レベル２）、同一タイミングで一対の透過型用紙検知手段１３（Ｆ，Ｒ）から抜ける（各用紙検知手段ＯＦＦ）。なお、本実施形態における軽量紙モードとは、互いに貼り付いて斜行、重送、空送を発生しやすい軽量紙を供給・印刷するモードであり、本実施形態による用紙搬送時の不都合に対応した送風手段制御が行なわれるモードである。
【００４６】
図１３は斜行検知時に補正しない場合の駆動タイミング図である。軽量紙モードを設定すると、一対の送風手段２（Ｆ，Ｒ）は初期設定の風量１及び風向横向きで送風を始める。印刷動作が始まり、Ｆ側が遅れる斜行で送り出された用紙Ｐは、一対の透過型用紙検知手段１３のＲ側には正規のタイミングで到達するが（用紙検知手段ＯＮ、受光レベル２）、Ｆ側には遅れたタイミングで到達し、斜行が検出される。斜行によってジャムが発生した場合は、図示のように基本的には停止させてジャムの解除を行ない、図１０の表図に示したように各送風手段２（Ｆ，Ｒ）の風量等を斜行に対応するように設定して次の動作に備えるが、軽微な斜行の場合は各送風手段２（Ｆ，Ｒ）の風量等を斜行に対応するように設定させつつ、作業を続行させても良い。
【００４７】
図１４は斜行補正時の駆動タイミング図である。軽量紙モードを設定すると、一対の送風手段２（Ｆ，Ｒ）のＲ側は初期設定の風量１及び風向横向きで送風を始めるが、送風手段２のＦ側は初期設定の風量より１段階大きい風量２及び風向横向きで送風を始める。印刷動作が始まると、用紙Ｐは左右の送風手段２の異なる風量によって斜行せずに正常に送り出され、一対の透過型用紙検知手段１３（Ｆ，Ｒ）に同一タイミングで到達し（各用紙検知手段ＯＮ、受光レベル２）、同一タイミングで一対の透過型用紙検知手段１３（Ｆ，Ｒ）から抜けることができる（各用紙検知手段ＯＦＦ）。
【００４８】
図１５は重送検知時に補正しない場合の駆動タイミング図である。軽量紙モードを設定すると、一対の送風手段２（Ｆ，Ｒ）は初期設定の風量１及び風向横向きで送風を始める。印刷動作が始まり、複数枚が重なった用紙Ｐが一対の透過型用紙検知手段１３（Ｆ，Ｒ）に同時に到達する。この場合、斜行はないが、両用紙検知手段の受光レベルは１であり、正常時よりも小さいので、用紙Ｐが重なっている重送であることが検知される。重送によってジャムが発生した場合は、図示のように基本的には停止させてジャムの解除を行ない、図１０の表図に示したように各送風手段２（Ｆ，Ｒ）の風量等を重送に対応するように設定して次の動作に備える。
【００４９】
図１６は重送補正時の駆動タイミング図である。軽量紙モードを設定すると、一対の送風手段２（Ｆ，Ｒ）のＲ側及びＦ側は、共に初期設定の風量１よりも１段階大きい風量２及び風向横向きで送風を始める。印刷動作が始まると、用紙Ｐは左右の送風手段２の通常よりも大きな風量によって確実に分離され、重送されることなく１枚ずつ正常に送り出され、一対の透過型用紙検知手段１３（Ｆ，Ｒ）に同一タイミングで、かつ正常な受光レベル２で検知される。
【００５０】
図１７は空送検知時に補正しない場合の駆動タイミング図である。軽量紙モードを設定すると、一対の送風手段２（Ｆ，Ｒ）は初期設定の風量１及び風向横向きで送風を始める。印刷動作が始まったが、用紙Ｐが送り出されない空送の状態になると、一対の透過型用紙検知手段１３（Ｆ，Ｒ）はいずれも用紙Ｐを検出すべきタイミングにおいて用紙Ｐを検出せず、用紙Ｐが送られない空送であることが検知される。空送の場合は、図示のように基本的には停止させた後、図１０の表図に示したように各送風手段２（Ｆ，Ｒ）の風量等を空送に対応するように設定して次の動作に備える。
【００５１】
図１８は空送補正時の駆動タイミング図である。軽量紙モードを設定すると、一対の送風手段２（Ｆ，Ｒ）のＲ側及びＦ側は、共に初期設定の風量１よりも１段階大きい風量２及び風向横向きで送風を始める。印刷動作が始まると、用紙Ｐは一対の送風手段２（Ｆ，Ｒ）の通常よりも大きな風量によって確実に分離されて空送されることなく１枚ずつ正常に送り出され、一対の透過型用紙検知手段１３（Ｆ，Ｒ）に同一タイミングで、かつ正常な受光レベル２で検知される。
【００５２】
４．全体の制御手順について（図２０）
以上、図９〜図１９を参照して、搬送不良の種別に対応した送風手段２の風量・風向の調整手法について説明したが、以下においては、以上の説明を踏まえ、本給紙装置１が装備された画像形成装置において制御手段が実行する作動手順の全体について図２０を参照して説明する。
【００５３】
Ｓ１０（ステップ１０を意味する。以下同様。）において、ユーザが図示しない操作パネルから軽量紙又は重量紙の種別のような用紙情報を設定する。なお、用紙情報は、前述したように、ユーザーが操作パネルで選択するモード情報でもよいし、給紙部の設定情報や透過型用紙検知手段１３からの光透過量の信号に基づいて用紙種類を検知し、設定するものとしてもよい。
【００５４】
Ｓ２０において、ユーザが印刷を開始させる。Ｓ３０において、設定された用紙情報及び透過型用紙検知手段１３（Ｆ，Ｒ）からの出力信号に応じて、メモリに格納された図１０及び図１１に示すような情報に基づき、送風手段２（Ｆ，Ｒ）の風量と風向を設定する。Ｓ４０において、送風手段２（Ｆ，Ｒ）が駆動を開始する。Ｓ３０において風量等の設定処理がなされた場合には、ここで設定を変更して駆動が開始される。Ｓ５０において、給紙部が１枚の用紙Ｐを給紙する。Ｓ６０において、印刷部で印刷されて送られてきた当該用紙Ｐを透過型用紙検知手段１３（Ｆ，Ｒ）が検出する。
【００５５】
Ｓ７０において、両透過型用紙検知手段１３（Ｆ，Ｒ）における用紙Ｐの検出タイミング差の有無や、そのタイミング差と判断基準である所定値との大小関係によって、図１０に示したように斜行（軽微又は重度）が検出される。また両透過型用紙検知手段１３（Ｆ，Ｒ）の受光レベルによって、図１０に示したように重送又は空送の有無が検出される。そして、これらの搬送上の不具合の有無の判断に基づき、ジャムが発生したか否かを判定する。
【００５６】
Ｓ７０における斜行量判断の結果、斜行が発生しておらず、ジャムの発生がないと判定された場合（Ｓ７０、「発生無し」）、Ｓ８０で、指定された所定枚数の印刷が終了したと判断されれば（Ｓ７０、ＹＥＳ）、Ｓ９０で動作終了となり、指定された所定枚数の印刷が終了していないと判断されれば（Ｓ７０、ＮＯ）、Ｓ５０に戻って１枚給紙から始まる印刷動作が再開される。
【００５７】
Ｓ７０でジャムに至らない軽微な斜行が発生したと判定された場合（Ｓ７０で「軽微な斜行」）、Ｓ１００で、透過型用紙検知手段１３（Ｆ，Ｒ）が得た情報で制御手段のメモリの対応情報を更新し、Ｓ３０において更新された情報に基づき、送風手段２（Ｆ，Ｒ）の風量と風向を設定する。
【００５８】
Ｓ７０における斜行量判断の結果、斜行が発生しており、ジャムが発生したと判定された場合（Ｓ７０で「ジャム」）、すなわちジャムとなる重度の斜行や、重送、空送が検知された場合には、Ｓ１１０で、透過型用紙検知手段１３（Ｆ，Ｒ）が得た情報に基づき、制御手段のメモリの対応情報を更新する。そして、Ｓ１２０で給紙動作と送風手段２（Ｆ，Ｒ）の送風動作を停止し、Ｓ１３０で図示しない表示手段にジャムエラー警告を表示する。ジャムが解除された場合には（Ｓ１４０、ＹＥＳ）、Ｓ２０に戻って再度印刷を開始することができる。ジャムが解除されない場合には（Ｓ１４０、ＮＯ）、表示手段でのジャムエラー警告表示を継続乃至繰り返して行う（Ｓ１３０）。
【００５９】
以上説明した実施形態では、一対の送風手段２，２（又は２対の送風手段）が、給紙装置１のＦ側（前側）とＲ側（後側）にあった。換言すれば、用紙Ｐの幅方向の中心線について用紙Ｐの左側縁と右側縁に近接して設けられていた。しかしながら、一対の送風手段２，２はそれぞれ独立に、少なくとも風量が制御でき、かつ用紙Ｐに対して対称な位置から送風できる位置にあればよく、例えば左右各側縁に限らず、用紙Ｐの前端側に近接して左右一対を設けても良い。
【００６０】
また、実施形態では、一対の送風手段２，２の風向を変えて重度の斜行を防止するようにしているが、風向の設定は、要するに用紙Ｐの張り付きや摩擦の増大が発生している部分に対してより強い風を吹き付け、また当該部分が分離しやすいような回転を用紙Ｐに与える態様であれば、特に実施形態のものに限定する必要はない。
【００６１】
さらに、実施形態では、重度の斜行の補正のために、一対の送風手段２，２について、風量の増大か、又は風向を相違させて設定するか、２つの手法を示したが、特に重度の斜行に対しては、これら両手法を併せて用いても良い。同様に重度のジャムをもたらす重送や空送に対処するために、単独で、又は前述した風量増大の手法と併用して、風向を相違させて設定する手法を用いても良い。
【符号の説明】
【００６２】
１…給紙装置
２…送風手段（Ｆ，Ｒ）
３…給紙台
６…給紙ユニット
８…サイドフェンス
１１…風向制御板
１３…透過型用紙検知手段（Ｆ，Ｒ）
Ｐ…用紙
【図１】
0005649873.tif 000002
【図２】
0005649873.tif 000003
【図３】
0005649873.tif 000004
【図４】
0005649873.tif 000005
【図５】
0005649873.tif 000006
【図６】
0005649873.tif 000007
【図７】
0005649873.tif 000008
【図８】
0005649873.tif 000009
【図９】
0005649873.tif 000010
【図１０】
0005649873.tif 000011
【図１１】
0005649873.tif 000012
【図１２】
0005649873.tif 000013
【図１３】
0005649873.tif 000014
【図１４】
0005649873.tif 000015
【図１５】
0005649873.tif 000016
【図１６】
0005649873.tif 000017
【図１７】
0005649873.tif 000018
【図１８】
0005649873.tif 000019
【図１９】
0005649873.tif 000020
【図２０】
0005649873.tif 000021